(57)【要約】      （修正有）【課題】長手方向に保持溝を持つ上金型が金型ホルダー装置から２ｍｍ程落下することを防ぐプレスブレーキ用金型ホルダー装置を提供する。【解決手段】締金２７に出没自在に備えられた、金型保持面２３ｒを持つ金型保持部材６１と金型締付面２７ｈを持ち、金型締付時にばね等により蓄勢される傾斜部を持った部材４に滑合する傾斜部を持つ部材２を有する締金２５を持ち、上金型締付時に上金型を上方向へ移動保持した状態で、上金型をホルダー本体２１に締付装着する。【選択図】図２
2009214177.tif 000002
【特許請求の範囲】
【請求項１】
プレスブレーキの前面上部にある水平の長い形状の支持部材（上部テーブルとも言う）に対して金型を着脱可能に装着支持する金型ホルダー装置にして、金型保持面と金型締付面を持つと共に、ホルダー本体内にボルト等で支持され、バネ等により蓄勢され、正面から見て前後に移動可能な傾斜部を持つ部材に滑合する部材又は部位を有し、金型締付時、長手方向に保持溝を持つ上金型を、上方向に持ち上げることにより、ホルダー本体の金型保持部下面と上金型の負荷面との隙間をなくし、上記上金型をホルダー本体に締め付け装着することのできる。締金と上記バネ等及びそのバネ等によって蓄勢される上記傾斜部を持った部材を持つホルダー本体から構成されることを特徴とする、金型ホルダー装置。
【発明の詳細な説明】
【技術分野】
【０００１】  本発明は、一般にプレスブレーキと称せられる板金材を成形加工する機械において上金型を保持する装置に関する。
【背景技術】
【０００２】  周知の通り、板金材の成型加工等を行なうプレスブレーキは、プレスブレーキの上部テーブルに装着される上金型とプレスブレーキの下部テーブル上に装着される下金型とを有して成るものであり、上記上金型の先端と下金型の溝部を噛み合わせることによってワークの加工を行なうものである。
そして、上記プレスブレーキに使用される上金型は、プレスブレーキの上部テーブルに取り付けられた金型ホルダー装置に取り付けられる。しかし、箱状の製品を作る場合においては、長手方向に保持溝を持ち、かつ長手方向に分割された、複数個の上金型を金型ホルダー装置に取り付けることになるが、この際上記上金型がそれぞれ均等に締め付けられず、幾つかの分割された上金型が、上金型の保持溝の上面が金型ホルダー装置の締金に設けられたストッパー部に当たるまで約１〜２ｍｍ下降したりすることも有り、作業性も悪く危険であった。
【発明の開示】
【発明が解決しようとする課題】
【０００３】  上記従来技術による長手方向に保持溝を持つ上金型の落下を防ぎ装着し、作業の安全性を高め金型ホルダー装置の機能向上を図ることにある。
【課題を解決するための手段】
【０００４】  上記目的を達成する為に、本発明は次の技術的手段を有する。長手方向に保持溝をもつ上金型の上記保持溝上部の面に接し、正面から見て前後に移動可能な金型保持面を持つ金型保持部材を持つか又は、上記保持溝上部の面に接する突起部を持ち、締付ボルト等による締め付け力を金型の締付面に伝える金型締付面を持つと共に、締付時にホルダー本体にボルト等で支持され、バネ等により蓄勢される傾斜部を持つ部材に滑合する傾斜部を持つ部材を有し、金型締付時締付方向及び上方に移動する締金を持つ金型ホルダー装置である。
【発明の効果】
【０００５】  上記締金を持つ金型ホルダー装置に、長手方向に保持溝を持つ上金型を入れるときは、締付ボルトを反時計方向に廻し、上記金型の保持溝上部の面を金型保持部材の金型保持面（金型保持部材を持たない場合は、突起部の金型保持面）に載せ横から入れるか、上記金型を金型保持部材とホルダー本体との間に下方から入れ、上記金型の保持溝上部の面を金型保持部材の金型保持面（金型保持部材を持たない場合は、突起部の金型保持面）に載せる。この状態で締付ボルトを時計方向に廻し締め付けると、締金の背面に取り付けられ傾斜部を持つ部材が、ホルダー本体にボルト等で支持されバネ等で蓄勢される傾斜部を持つ部材に接合している為、上記金型を上方向に持ち上げた状態で締め付けることになり、締付前にあった締金の締付面と上記金型の締付面の隙間、及びホルダー本体の下面と上記金型の負荷面との隙間もなくなった状態で上記金型は締付保持され、落下はしない。
金型保持部材を持つ締金では、長手方向に保持溝を持たない上金型も同様に横又は下方から金型ホルダー装置に入れることができ、金型締付時には、金型保持部材は締金本体に設けられた溝部の中に移動し、上記上金型は装着される。
【発明を実施するための最良の形態】
【０００６】    以下、本発明の理解を容易にする為に、添付図面に使用した符号を用いて全体構成について説明する。【０００７】  図面を参照するに、本発明の実施に係るプレスブレーキ用金型ホルダー装置は、全体的に数字１で示してあり、板金材を成形加工するプレスブレーキにおいて上金型３を保持するものであり、プレスブレーキの前面上部にある水平の長い形状の支持部材５（上部テーブルとも言う）に、公知の方法により、懸垂する状態にて装着される。なお、説明の進行によって理解されるとおり、第１図、第２図、第３図、および第５図においては、上金型３は、金型ホルダー装置１によって保持されるべき位置にあるが、未だ最終的に保持されない状態として示されている。【０００８】  特に第１図において、金型ホルダー装置１は、複数個のボルト７とスプリングピン９によって矩形の板１１に固定されており、その矩形の板１１は公知の方法によってプレスブレーキの支持部材（上部テーブルとも言う）に取り付けられている。また、公知の技術として、楔１５が、金型ホルダー装置１の上方部にプレスブレーキの支持部材５の下面に接する状態で、板１１にボルト１７により座金１９を介して固定されている。因に、第２図に示すとおり、ボルト１７が通る板１１の穴の開口部で座金１９がある部分は、楔１５の水平に移動により、板１１が上下に動けるように形成されている。なお、図示を省略するが、周知のとおり、プレスブレーキの支持部材５（上部テーブルとも言う）の直下には、一般にテーブルと称する支持部材があり、その上に、板金材を成形加工するために上金型３と協働する下金型が装着される。かくて、成形加工されるべき板金材が下金型上に載置され、それを成形加工するために、上金型３を支持する支持部材５と下金型を支持する下方の支持部材のいずれかが他方に対して垂直に駆動される。なお、第１図において、金型ホルダー装置１と上金型３はそれぞれ１個だけ示してあるが、幅の広い板金材を成形加工するためには、複数個の分割された上金型が第１図の左右方向に連結されて用いられ、この為に、複数個の金型ホルダー装置１が用いられる。【０００９】  周知のとおり、上金型３は、上部に装着のためのシャンク部３ｓを有し、板金材の成形加工時の加重を受けるように、そのシャンク部３ｓの根本に、肩状に水平な負荷面３ｆが形成されている。また、上金型３は、周知のとおり、一般に、落下に備える安全対策として、長手方向に断面が矩形の落下防止用の保持溝３ｇが形成されている。ただし、後述のとおり、本金型ホルダー装置１は、上金型３が保持溝３ｇを有すると否とにかかわらず、これを保持することができる。【００１０】    特に第１図、第２図および第３図に明示されるとおり、金型ホルダー装置１は、ホルダー本体２１を有し、これは、プレスブレーキの左右方向に長く上下方向に短く前後方向に薄い直方体状の部材である。ただし、本実施例において、ホルダー本体２１は、第１図にて見られるとおり、上面が傾斜を成し楔１５に接し、ボルト１７を緩め楔１５を水平に動かすことにより、高さを調整できるように構成されている。ホルダー本体２１は、下面に、長い直方体状の金型保持部２３が形成されており、これは、前後に、上金型３���受ける垂直の金型保持面２３ｆおよび２３ｒを有する。なお、上金型３は、図示においてはホルダー本体２１の金型保持部２３の前部金型保持面２３ｆにて保持されるが、成形加工される板金材の寸法や形状等により、前後の金型保持面２３ｆおよび２３ｒのいずれかで保持される。ただし、上金型３は、普通はホルダー本体２１の前部で保持するのが便利であるので、本実施例においては、金型ホルダー２１は、主として、前部金型保持面２３ｆ側で保持するように構成されている。【００１１】  特に第１図、第２図、第３図および第５図に明示されるとおり、上金型３をホルダー本体２１の金型保持部２３にて保持するために、その前後に、すなわち第２図および第３図において金型保持部２３の両側に、長方形の板状の締め金２５および２７が金型保持部２３に平行に備えられている。締め金２５および２７は、それぞれ、その下端部に締付部２５ｈおよび２７ｈを有し、締付けボルト６及び６′によって水平の状態で保持され、それらの締付部２５ｈおよび２７ｈがそれぞれ金型保持部２３の金型保持面２３ｆと２３ｒに対して上金型３を押し当て保持できるように構成されている。
又、締め金２５および２７はその背面に設けられた溝１０に隙間なく組込まれ、止めねじ８で保持された傾斜部（正面から見て矩形）を持つ部材４を有する、上記部材４の傾斜部に滑合する傾斜部を持つ部材２（正面から見て矩形または丸）は、皿バネ１２を介して上記部材４を持つ締め金２５及び２７と共に締付ボルト６及び６´によってホルダー本体２１に装着されている。締付ボルト６及び６′が通る部材４の穴は図１及び図２が示すように、穴部上方は締付ボルト６及び６′の上部に接しており、下部は締め金２５及び２７が部材４と共に上昇しても締付ボルト６及び６′の下部には接しない。
締金２５は、締金２７を締付ボルト６′で締め付けるために、工具を入れる穴２９を有する。本実施例に於いては、穴２９は第１図に示すとおり締金２５に２箇所それぞれ同じ高さに設けられている。【００１２】  特に第１図、第２図および第３図にて見られるとおり、締め金２５および２７は、いずれも、その下端部の締め付け部２５ｈおよび２７ｈに、その全長に亘って水平に長手方向の溝２５ｇおよび２７ｇが形成されており、その溝２５ｇおよび２７ｇに、金型保持部材６１を有する。金型保持部材６１は、締め金２５および２７とほぼ同じ長さの部材であり、水平な金型保持面６１ｈおよび傾斜面６１ｓを有し、締め金２５および２７の溝２５ｇおよび２７ｇに、複数個のネジ６３によって水平に移動可能に保持され、かつ、ばね６４によって上金型３の方向に締め金２５および２７から突出するように蓄勢されている。すなわち、金型保持部材６１は、締め金２５および２７の締め付け部２５ｈおよび２７ｈに形成された溝２５ｇおよび２７ｇに、出没自在に備えられている。金型保持部材６１は、上金型３に保持溝３ｇがある場合に、上金型３を保持溝３ｇによって保持するものものであり、上金型３の万一の落下に備えるとともに、上金型３を締め金２５または２７により最終的に締め付け保持する前に仮に保持するものである。このために、金型保持部材６１は、第２図および第３図に示すとおり、保持溝３ｇのある金型３が締め金２５または２７とホルダー本体２１の金型保持部２３との間に締め付け保持されるべき位置にある時、上金型３の保持溝３ｇ内に位置し、その金型保持面６１ｈが保持溝３ｇの上部面により上金型３を保持できるように構成される。なお、金型保持部材６１の金型保持面６１ｈは、上金型３の保持溝３ｇの上部面に当接し上金型３を保持するものであり、また、金型保持部材６１の傾斜面６１ｓは、カムの働きをなし、例えば上金型３が装着時に当接すれば、金型保持部材６１はばね６４に抗して締め金２５または２７内に没入する。上記の構成により、上金型３を締付保持するために、締め付けボルト６が締付方向に回転されれば、締め金２５は、第２図において右側に移動しつつ、傾斜部を持つ部材４と皿バネ１２により蓄勢された傾斜部を持つ部材２との滑合により上向へ押し上げられる。この様にして締め金２５が押し上げられる結果、上金型３は、その保持溝３ｇに係合する金型保持部材６１によって，その負荷面３ｆがホルダー本体２１の金型保持部２３の下面に完全に当接まで持ち上げられる。（詳細な説明は省くが、図５に示す金型保持部材６１等を持たず金型保持面６１ｈに相当する突起部Ｂを持つ締め金も同様である。）このような状態で、さらに締め付けボルトを締付方向に廻せば、上記のように上金型３は上方へ移動できないため、傾斜部を持つ部材４と傾斜部を持つ部材２は滑りをとめ、皿バネ１２を圧縮しつつ締め付け面２５ｈと金型締め付面２３ｆで上金型３を締め付け保持する。
因に、上金型３に保持溝３ｇがない場合、金型保持部材６１は、バネ６４に抗して締め金２５または２７に没入させられる。【００１３】  第１図、第３図及び第４図を参照するに、上金型３をホルダー本体２１の金型保持部２３の後方すなわち第３図において右側にて装着するために、ホルダー本体２１の下部に、締め金２７を締め付けるための締め付けボルト６′が備えられている。本実施例においては、締め付けボルト６′は、第１図に示すとおり、ホルダー本体２１の左右２箇所に、それぞれ同じ高さにて設置され、ホルダー本体２１に水平に形成された穴を貫通し、皿バネ１２、傾斜部を持つ部材２及び傾斜部を持つ部材４を持つ締め金２７を通り、締め金２７に設けられた溝部３２にスプリングピン３０によって係止されたナット３１に螺合している。
かくて、金型３の保持溝上部を金型保持面６１ｈにのせ、締め付けボルト６′を締付方向に廻せば、上述のように金型３の負荷面３ｒがホルダー本体２１の金型保持部２３の下面に当接する状態で、金型３は締付保持される。
【図面の簡単な説明】
【００１４】
【図１】  プレスブレーキに装着された本発明の金型ホルダーを示す正面図である。
【図２】
2009214177.tif 000003
【図３】
2009214177.tif 000004
【図４】
2009214177.tif 000005
【図５】  金型保持部材を持たず、金型保持面を持つ、突起部を持った締金の側面図である。
【符号の説明】
【００１５】１        金型ホルダー装置
２        部材
３        上金型
４        部材
５        支持部材
６        締付ボルト
７        ボルト
８        止めネジ
９        スプリングピン
１０      溝
１１      板
１５      楔
１７      ボルト
１９      座金
２１      ホルダー本体
２３      金型保持部
２３ｆ    金型保持面
２３ｒ    金型保持面
２５      締め金
２５ｈ    締め付け面
２５ｇ    溝
２７      締め金
２７ｈ    締め付け面
２７ｇ    溝
２９      穴
３０      スプリングピン
３１      ナット
３２      溝部
６１      金型保持部材
６１ｈ    金型保持面
６１ｓ    傾斜面
６３      ネジ
６４      ばね
【図１】
2009214177.tif 000006
【図２】
2009214177.tif 000007
【図３】
2009214177.tif 000008
【図４】
2009214177.tif 000009
【図５】
2009214177.tif 000010